(57)【特許請求の範囲】
【請求項１】
デジタル図面の図面データを表示画面に表示する計測装置であって、
前記図面データを実寸印刷する際の縮尺データを備えたデジタル図面を受信するデジタル図面受信手段と、
前記表示画面の表示密度に関するデータを記憶する表示密度データ記憶手段と、
前記デジタル図面受信手段で受信したデジタル図面から縮尺データを抽出する縮尺データ抽出手段と、
前記表示画面に表示するための縮尺である表示要求縮尺の設定を受け付ける表示要求縮尺受付手段と、
前記表示密度データ記憶手段に記憶された表示密度データと、前記縮尺データ抽出手段で抽出した縮尺データと、前記表示要求縮尺受付手段で受け付けた表示要求縮尺とから演算処理を行い、前記表示画面にデジタル図面の図面データを表示する図面データ表示手段と、
前記図面データ表示手段で表示された図面データを計測するためのルーラーを、前記図面データ表示手段で行った演算処理で求められた値に基づいて目盛りを設定して表示するルーラー表示手段と、
前記表示画面上における指又はペンでの、前記ルーラー表示手段で表示されたルーラーへのタッチを検出する検出手段と、
前記検出手段で検出した指又はペンの前記表示画面上での動きに基づいて、前記検出手段による検出が１箇所であった場合、前記指又はペンの動きに従って前記ルーラーを上下方向、または左右方向に平行移動させ、前記検出手段による検出箇所が２箇所であった場合、前記指又はペンの２箇所で示される角度に沿って前記ルーラーを移動させるルーラー移動手段と、
前記図面データ表示手段で表示された図面データの指定を受け付ける図面データ指定受付手段と、
前記図面データ指定受付手段で受け付けた図面データを、受けた指示に基づいて、表示画面内を移動させる図面データ移動受付手段と、
表示モードと計測モードを選択するモード選択手段と、を備え、
前記表示モードが選択された場合には、前記ルーラー移動手段によるルーラーの移動を固定し、前記図面データと前記ルーラーの拡大、縮小、及び前記図面データ移動受付手段による図面データの移動を可能とし、
前記計測モードが選択された場合には、前記図面データの拡大、縮小を不可とし、前記ルーラー移動手段によるルーラーの移動を可能にする、
ことを特徴とする計測装置。
【請求項２】
デジタル図面の図面データを表示画面に表示する計測装置であって、前記表示画面の表示密度に関するデータを記憶する表示密度データ記憶手段を備えた計測装置における計測プログラムであって、
前記図面データを実寸印刷する際の縮尺データを備えたデジタル図面を受信するデジタル図面受信機能と、
前記デジタル図面受信機能で受信したデジタル図面から縮尺データを抽出する縮尺データ抽出機能と、
前記表示画面に表示するための縮尺である表示要求縮尺の設定を受け付ける表示要求縮尺受付機能と、
前記表示密度データ記憶手段に記憶された表示密度データと、前記縮尺データ抽出機能で抽出した縮尺データと、前記表示要求縮尺受付機能で受け付けた表示要求縮尺とから演算処理を行い、前記表示画面にデジタル図面の図面データを表示する図面データ表示機能と、
前記図面データ表示機能で表示された図面データを計測するためのルーラーを、前記図面データ表示機能で行った演算処理で求められた値に基づいて目盛りを設定して表示するルーラー表示機能と、
前記表示画面上における指又はペンでの、前記ルーラー表示機能で表示されたルーラーへのタッチを検出する検出機能と、
前記検出機能で検出した指又はペンの前記表示画面上での動きに基づいて、前記検出機能による検出が１箇所であった場合、前記指又はペンの動きに従って前記ルーラーを上下方向、または左右方向に平行移動させ、前記検出機能による検出箇所が２箇所であった場合、前記指又はペンの２箇所で示される角度に沿って前記ルーラーを移動させるルーラー移動機能と、
前記図面データ表示機能で表示された図面データの指定を受け付ける図面データ指定受付機能と、
前記図面データ指定受付機能で受け付けた図面データを、受けた指示に基づいて、表示画面内を移動させる図面データ移動受付機能と、
表示モードと計測モードを選択するモード選択機能と、
をコンピュータに実現させ、
前記表示モードが選択された場合には、前記ルーラー移動機能によるルーラーの移動を固定し、前記図面データと前記ルーラーの拡大、縮小、及び前記図面データ移動受付機能による図面データの移動を可能とし、
前記計測モードが選択された場合には、前記図面データの拡大、縮小を不可とし、前記ルーラー移動機能によるルーラーの移動を可能にする、
ことを特徴とする計測プログラム。
【発明の詳細な説明】
【技術分野】
【０００１】
本発明は、タブレット型端末装置の表示画面に、所定の縮尺で表示された設計図面などの図面データで、寸法、距離を計測する計測装置および計測プログラムに関する。
【背景技術】
【０００２】
従来、建築現場や土木工事の現場等では、紙面に印刷された図面を用いて、ユーザが修正箇所への加筆や寸法計測を行っていた。ただし、上記現場では、使用する図面が膨大な枚数となる場合や図面に筆記具で加筆するための机やスペースが無いような場合もあるので、紙面に印刷された図面の持ち運び／その図面を用いた作業はユーザの負担が大きかった。
そこで、図面データベース等に管理された、紙面印刷用の図面データを、手軽に持ち運び出来るタブレット型端末装置等の端末装置で利用することが注目されている。
図１には、タブレット型端末装置５０の表示画面５１に図面データ（設計図面）を表示したところを示している。このようなタブレット型端末装置に図面データを表示することで、上記現場でも、ユーザは簡単に図面の閲覧、確認および加筆・修正を行うことができる。そのため、紙面に印刷された図面を用いた場合に比して、ユーザの利便性は大いに向上している。
【０００３】
特許文献１記載の発明では、ＣＡＤのシステムにおいて、ディスプレイの表示画面上に目盛り付きスケールを表示し、このスケールを動かすことで、スケールに沿って、描線をしたり、寸法を計測したりする装置が開示されている。
【先行技術文献】
【特許文献】
【０００４】
【特許文献１】特開平９−２５９２９５号公報
【発明の概要】
【発明が解決しようとする課題】
【０００５】
ところで、図面データベース等で管理されたデジタル図面自体が、いくら実寸に準拠した縮尺データを保持していても、端末装置の表示画面（モニタ）に表示させると、その表示画面の属性（ピクセル数やその密度など）次第で、実寸に準拠した縮尺と異なる縮尺で表示されてしまうという問題があった。例えば、現場でユーザが三角スケール等の計測器具を用いて、端末装置の表示画面に表示された図面から直接寸法計測を行おうとしても、正確な寸法が得ることができなかった。これは、紙面に印刷された図面を用いた場合に比して、不便な点であった。また、上記の端末装置では、指等の操作で自由に図面データのサイズを拡大縮小できるが、寸法、距離の計測も三角スケール等の計測器具を用いずに、当該端末装置自体の機能として行えれば、ユーザの利便性は大いに向上する。
そこで、本発明の目的は、表示画面に図面データを表示した際、当該図面データの縮尺に応じて、目盛りが可変のルーラー（定規）を表示し、どのような縮尺で図面データを表示しても、距離、寸法の計測が可能なルーラーを表示する計測装置および計測プログラムを提供することである。
【課題を解決するための手段】
【０００６】
請求項１記載の発明では、デジタル図面の図面データを表示画面に表示する計測装置であって、前記図面データを実寸印刷する際の縮尺データを備えたデジタル図面を受信するデジタル図面受信手段と、前記表示画面の表示密度に関するデータを記憶する表示密度データ記憶手段と、前記デジタル図面受信手段で受信したデジタル図面から縮尺データを抽出する縮尺データ抽出手段と、前記表示画面に表示するための縮尺である表示要求縮尺の設定を受け付ける表示要求縮尺受付手段と、前記表示密度データ記憶手段に記憶された表示密度データと、前記縮尺データ抽出手段で抽出した縮尺データと、前記表示要求縮尺受付手段で受け付けた表示要求縮尺とから演算処理を行い、前記表示画面にデジタル図面の図面データを表示する図面データ表示手段と、前記図面データ表示手段で表示された図面データを計測するためのルーラーを、前記図面データ表示手段で行った演算処理で求められた値に基づいて目盛りを設定して表示するルーラー表示手段と、前記表示画面上における指又はペンでの、前記ルーラー表示手段で表示されたルーラーへのタッチを検出する検出手段と、前記検出手段で検出した指又はペンの前記表示画面上での動きに基づいて、前記検出手段による検出が１箇所であった場合、前記指又はペンの動きに従って前記ルーラーを上下方向、または左右方向に平行移動させ、前記検出手段による検出箇所が２箇所であった場合、前記指又はペンの２箇所で示される角度に沿って前記ルーラーを移動させるルーラー移動手段と、前記図面データ表示手段で表示された図面データの指定を受け付ける図面データ指定受付手段と、前記図面データ指定受付手段で受け付けた図面データを、受けた指示に基づいて、表示画面内を移動させる図面データ移動受付手段と、表示モードと計測モードを選択するモード選択手段と、を備え、前記表示モードが選択された場合には、前記ルーラー移動手段によるルーラーの移動を固定し、前記図面データと前記ルーラーの拡大、縮小、及び前記図面データ移動受付手段による図面データの移動を可能とし、前記計測モードが選択された場合には、前記図面データの拡大、縮小を不可とし、前記ルーラー移動手段によるルーラーの移動を可能にする、ことを特徴とする計測装置を提供する。
請求項２に記載の発明では、デジタル図面の図面データを表示画面に表示する計測装置であって、前記表示画面の表示密度に関するデータを記憶する表示密度データ記憶手段を備えた計測装置における計測プログラムであって、前記図面データを実寸印刷する際の縮尺データを備えたデジタル図面を受信するデジタル図面受信機能と、前記デジタル図面受信機能で受信したデジタル図面から縮尺データを抽出する縮尺データ抽出機能と、前記表示画面に表示するための縮尺である表示要求縮尺の設定を受け付ける表示要求縮尺受付機能と、前記表示密度データ記憶手段に記憶された表示密度データと、前記縮尺データ抽出機能で抽出した縮尺データと、前記表示要求縮尺受付機能で受け付けた表示要求縮尺とから演算処理を行い、前記表示画面にデジタル図面の図面データを表示する図面データ表示機能と、前記図面データ表示機能で表示された図面データを計測するためのルーラーを、前記図面データ表示機能で行った演算処理で求められた値に基づいて目盛りを設定して表示するルーラー表示機能と、前記表示画面上における指又はペンでの、前記ルーラー表示機能で表示されたルーラーへのタッチを検出する検出機能と、前記検出機能で検出した指又はペンの前記表示画面上での動きに基づいて、前記検出機能による検出が１箇所であった場合、前記指又はペンの動きに従って前記ルーラーを上下方向、または左右方向に平行移動させ、前記検出機能による検出箇所が２箇所であった場合、前記指又はペンの２箇所で示される角度に沿って前記ルーラーを移動させるルーラー移動機能と、前記図面データ表示機能で表示された図面データの指定を受け付ける図面データ指定受付機能と、前記図面データ指定受付機能で受け付けた図面データを、受けた指示に基づいて、表示画面内を移動させる図面データ移動受付機能と、表示モードと計測モードを選択するモード選択機能と、をコンピュータに実現させ、前記表示モードが選択された場合には、前記ルーラー移動機能によるルーラーの移動を固定し、前記図面データと前記ルーラーの拡大、縮小、及び前記図面データ移動受付機能による図面データの移動を可能とし、前記計測モードが選択された場合には、前記図面データの拡大、縮小を不可とし、前記ルーラー移動機能によるルーラーの移動を可能にする、ことを特徴とする計測プログラムを提供する。
【発明の効果】
【０００７】
本発明によれば、表示画面にどのような縮尺で、図面データを表示しても、併せて、表示されたルーラー（定規）を用いて簡単に実際の寸法、距離を計測できる。
【図面の簡単な説明】
【０００８】
【図１】本実施形態に係る可変ルーラーを表示する計測装置の概略を説明する図である。
【図２】本実施形態に係る可変ルーラーを表示する計測装置の例を示した図である。
【図３】本実施形態で用いる図面サーバの構成を示したブロック図である。
【図４】計測装置で用いるタブレット型端末装置の構成を示した図である。
【図５】本実施形態に係るタブレット型端末装置の表示画面に所定の固定縮尺で図面データを表示した例を示した図である（表示モード）。
【図６】本実施形態に係るタブレット型端末装置の表示画面に所定の固定縮尺で図面データを表示した例を示した図である。
【図７】本実施形態に係るタブレット型端末装置の表示画面において選択された固定縮尺で図面データを表示したところを示した図である。
【図８】本実施形態の処理手順を示したフローチャートである。
【図９】本実施形態における「表示モード」での計測を説明する図である。
【図１０】本実施形態における「表示モード」での計測を説明する図である。
【図１１】本実施形態における「計測モード」でのルーラーを平行移動させての計測を説明する図である。
【図１２】本実施形態における「計測モード」でのルーラーを斜め方向に移動させての計測を説明する図である。
【図１３】本実施形態における「デジタル計測モード」での計測を説明する図である。
【図１４】本実施形態における「デジタル計測モード」でポインタを表示したところを示した図である。
【図１５】本実施形態における「デジタル計測モード」で、図面データの一部を拡大したところを示した図である。
【図１６】本実施形態の処理手順を示したフローチャートである。
【発明を実施するための形態】
【０００９】
以下、本発明の実施形態に係るタブレット型端末装置の表示画面に表示された図面データ内の寸法、距離の計測を行える計測装置を図１ないし図１６を参照して詳細に説明する。
（１）実施形態の概要
図１のタブレット型端末装置を用いたシステムの概略に示すように、タブレット型端末装置５０は、設計図面のデジタル図面を指定された縮尺で表示するよう指示を受けると、図面サーバ２０に保管された設計図面のデジタル図面を取得して、表示画面５１に紙面印刷時の設計図面と同様に、実寸に準拠した縮尺で当該デジタル図面に基づく設計図面、建築図面、土木図面などの図面データを表示する。
つまり、タブレット型端末装置５０は、デジタル図面の縮尺データと、タブレット型端末装置の表示画面の表示密度データから、実寸に準拠した縮尺で、タブレット型端末装置５０の表示画面５１に設計図面を正確に表示できるようになっている。
同時に、計測装置１００は、選択されている縮尺に合致したルーラー１５０を表示画面５１に表示する。このルーラー１５０は、選択されている縮尺に応じて目盛りが変化するようになっており、どのような表示縮尺にも対応できるようになっている。
ユーザは、表示されたルーラー１５０を参照することで、当該図面内の凡その寸法を把握でき、且つ当該ルーラー１５０または図面自体を表示画面５１内で移動させて、計測箇所に当該ルーラー１５０を当てることで、正確な計測を行うことができる。従って、ユーザは、三角スケールを用いて、紙に記載された図面を計測するのと同様に距離、寸法を計測することができる。
【００１０】
（２）実施形態の詳細
まず、図１を参照して、本実施形態に係る計測装置１００を説明する。
この実施形態で、デジタル図面とは、図面データとその図面データの付属情報を含んだものをいう。また、付属情報とは、当該図面データを実寸印刷する際の縮尺データ、当該図面データの解像度などを含んだものをいう。
図面データの実寸印刷とは、縮尺データに応じた印刷をすると、実際にその縮尺データの縮尺通り正確な寸法で印刷されることをいう。縮尺データ５０分の１の図面データを実寸印刷すれば５０分の１のサイズで図面が印刷される。
なお、本実施形態における計測端末１００として、タブレットＰＣ等のタブレット型端末装置を例に説明するが、ノート型パソコンや携帯電話機等の表示画面上に画像を表示する機能を備えた各種の携帯端末へ適宜に応用できる。
【００１１】
設計図面などのデジタル図面の図面データを表示するためのタブレット型端末装置５０は、インターネット等のネットワークを介して図面サーバ２０と各種のデータの送受信が可能となっている。このタブレット型端末装置５０は、薄型で比較的軽量であるため、携帯に適しており、例えば、建築現場、土木の作業現場、測量の現場などに持ち込むのに特に便利である。
【００１２】
図２は、表示画面５１にルーラー１５０を表示した状態を示している。このタブレット型端末装置５０は、表示画面５１の例えば右下部に表示画面５１の横方向のサイズの約半分サイズのルーラー（定規）１５０を表示する。
本実施形態で用いるルーラー１５０は、（原寸）以外の尺度で描かれている図面の寸法を実際のサイズで計測するための定規である。例えば、縮尺が１／２０の図面の場合、１／２０に対応した目盛りを表示し、その寸法を読み取れば、その値がそのまま実測値となる。従って、このタブレット型端末装置５０のユーザは、何らの換算等の面倒な計算をしないで簡単に実測値を得ることができる。
【００１３】
次いで、図３および図４を参照して、図面サーバ２０とタブレット型端末装置５０の構成について説明する。
図３は図面サーバ２０の構成を示した図である。
この図面サーバ２０は、ＣＰＵ（中央演算処理装置）２２、ＲＯＭ（リード・オンリ・メモリ）２４、通信装置２６、表示装置２８、ＲＡＭ（ランダム・アクセス・メモリ）３０、入力装置３２、記憶装置３４を備えている。
ＣＰＵ２２は、各種プログラムに従って、情報処理を行ったり、図面サーバ２０の各部を制御したりする。
ＲＯＭ２４は、図面サーバ２０が動作するための基本プログラムやパラメータを記憶した読み取り専用メモリである。
通信装置２６は、図面サーバ２０をインターネットなどのネットワークに接続するための接続インターフェイスである。図面サーバ２０は、この通信装置２６を介して図面データをタブレット型端末装置５０へ送信する。
表示装置２８は、液晶ディスプレイなどの表示デバイスを備えており、記憶された設計図面などを表示できるようになっている。
ＲＡＭ３０は、ＣＰＵ２２が図面の管理処理などを行う際に、ワーキングメモリを提供する読み書き可能なメモリである。
入力装置３１は、各種データを入力する働きをする。
記憶装置３４は、例えばハードディスクなどの大容量記憶媒体を備えており、図面データの管理を行う図面管理プログラム３６、図面ＤＢ（データベース）３８などを記憶している。
【００１４】
図３は、計測装置１００で用いるタブレット型端末装置５０の構成を示した図である。
このタブレット型端末装置５０は、ＣＰＵ５２、ＲＯＭ５４、通信装置５６、表示装置５８、ＲＡＭ６２、画像入力装置６４、記憶装置６６を備えている。
ＣＰＵ５２は、本実施形態における図面表示プログラム等の各種プログラムに従った情報処理を実行することで、タブレット型端末装置５０の各部を統括的に制御する。
ＲＯＭ５４は、ＣＰＵ５２が実行するための各種プログラムや当該プログラムの実行に必要なパラメータ等を記憶した読み取り専用メモリである。
表示画面５１は、液晶ディスプレイなどの表示デバイスであり、所定の縮尺で設計図面などの図面データを表示できるようになっている。この表示画面５１の「表示画面のピクセル数／表示画面の実際の表示領域の実寸」で表される数値である表示画面５２の表示密度データは、後述する表示密度記憶部６９に記憶されている。
通信装置５６は、インターネットなどのネットワークに接続するための通信用インターフェイスである。この通信装置５６を介して図面サーバ２０からデジタル図面を受信するようになっている。
この通信装置５６は、デジタル図面取得手段として機能するが、デジタル図面は他の方法で取得してもよい。例えば、ＵＳＢ（Ｕｎｉｖｅｒｓａｌ  Ｓｅｒｉａｌ  Ｂｕｓ）等の半導体メモリを介して取得するようにしてもよい。さらに、タブレット型端末装置５０の記憶装置６６から直接取得するようにしてもよい。この場合、記憶装置６６は、予めデジタル図面の図面データを記憶している。
また、デジタル図面の図面データを記憶しているＰＣに有線接続または無線接続することで、ＰＣから取得するようにしてもよい。
【００１５】
ＲＡＭ６２は、ＣＰＵ５２が図面の管理処理などを行う際に、ワーキングメモリを提供する読み書き可能なメモリである。
画像入力装置６４は、タッチパネルのことで、表示画面５１に表示された「選択キー」の選択や、ユーザの指等による図面データの拡大、縮小の指示を検出する。
記憶装置６６は、例えばハードディスクやＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの大容量記憶媒体を備えており、図面データを拡大・縮小して表示する図面表示プログラム６８などを記憶している。
ＣＰＵ５２が、この図面表示プログラム６８を実行することで、受信したデジタル図面に含まれる属性情報を参照し、表示画面５１の表示密度と比較して、選択された固定縮尺での設計図面を表示画面５１に表示する。また、表示画面５１に、指定された縮尺に応じてデジタル図面の図面データを拡大・縮小表示する。
また、記憶装置６６は、表示密度記憶部６９を備えており、上述した表示密度を記憶している。
表示密度はｐｐｉという単位で表示されることもある。ｐｐｉは１インチにどれだけの画素（ピクセル）が含まれるかを表した値であり、ｄｐｉ（１インチあたりのドット数）で表示される場合もあり、表示画面の解像度とも呼ばれる。
さらに、記憶装置６６は、ルーラーデータ記憶部７０を備えており、各表示要求縮尺、例えば、「１／２５」、「１／５０」、「１／１００」、「１／１５０」、「１／２００」、「１／２５０」、「１／３００」といった固定した値に対応したルーラー１５０の目盛りを記憶している。
【００１６】
次に、本実施形態で用いるデジタル図面について説明する。
図面サーバ２０の図面ＤＢ（データベース）３８に保管されているデジタル図面は、図面そのものを表示するための図面データと、この図面データの属性を表す属性情報を構成要素としている。
属性情報としては、例えばデジタル図面を紙面に実寸印刷した際の縮尺を表す縮尺データ（つまり、何分の一という縮尺の数値からなるデータ）、縦と横の解像度（ラスタ形式の図面データの場合）等が含まれる。
ここで、解像度とは、ビットマップの密度のことであり、ｄｐｉという単位で表示される。ｄｐｉとは、１インチにどれだけのドット（ビットマップ）が含まれているかを表した値であり、このｄｐｉの値が大きいほど、図面（画像）を細かい階調でより美麗に表現できる。
【００１７】
デジタル図面の図面データは、ベクタ形式のデータで構成されていても、ラスタ形式（ビットマップ形式）のデータで構成されていてもよい。
ここで、ベクタ形式のデータとは、コンピュータ内で処理する図面（図形）のデータを全て数値で管理する方式である。このベクタ方式では、図面（図形）を各頂点などの座標データとして保持しており、表示されるごとに輪郭となる線の情報を演算処理することで表現する。そのため、図面（図形）のサイズの変更や変形を施せば、それに応じた図面（図形）を表示できる。従って、修正・変形などを多々行う設計図面などに適した方式である。また、拡大・縮小表示を頻繁に行うタブレット型端末装置で用いるのにも適した方式である。
一方、ラスタ形式のデータとは、画像をビットマップで構成する方式である。
【００１８】
デジタル図面のデータがベクタ形式であり、紙面印刷時の縮尺が５０分の１であった場合、縮尺データは、「１／５０」である。
一方、図面データがラスタ形式の場合は、縦横方向それぞれの図面解像度も属性情報として保持する。
タブレット型端末装置５０の表示画面５１では、縦と横の表示密度が異なっている装置がある。例えば、縦１５０ｄｐｉ、横１００ｄｐｉで表示する装置が存在する。
そのため、縦横比の違いを縦横各々の表示密度を使って演算して、図面データを表示画面５１に表示する必要がある。
また、ラスタ形式の図面データ（ビットマップデータ）の場合、属性情報として縮尺データに加え、縦方向の図面解像度と横方向の解像度の両者を保持し、管理する必要がある。
【００１９】
従来のように、図面サーバ２０より送信されたデジタル図面の図面データをそのまま表示画面５１上に表示しても、必ずしも実寸に準拠した縮尺で表示することはできなかった。これは、表示画面の密度が各々の機器で相違し、この相違を考慮しないで、表示を行っていたためである。従って、例えば「実寸表示」とされているものでも、表示画面の密度を考慮していないので、正確な「実寸表示」ではなく、概ねの表示に過ぎなかった。
そこで、本実施形態では、表示画面５１の表示密度を考慮してデジタル図面の図面データを表示画面に応じたスケールに置き換えた上で、要求された縮尺のデジタル図面の図面データを生成する。すると、実寸印刷時の縮尺データに準拠したデジタル図面の図面データが表示できる。
ところで、表示密度とは、「表示画面のピクセル数／表示画面の実際の表示領域の実寸」で表される数値のことであり、所定の単位あたりのピクセル数（ドット数）の縦横それぞれを表示密度記憶部６９に記憶されている。
【００２０】
次に、本実施形態を具体的数値を示して説明する。
ここで、公称密度とは、当該表示画面に１インチ当たりいくつのピクセル（ドット）が存在するかを当該表示画面のメーカーが公表した値である。
表示要求縮尺とは、ユーザがデジタル図面の図面データを表示する際に要求する縮尺のことであり、例えば、５０分の１の表示要求縮尺がユーザからあった場合、この実施形態では、表示画面５１に、実際の紙に印刷される５０分の１の図面と左右とも全く同一のサイズで表示される。
【００２１】
本実施形態に係るタブレット型端末装置５０では、表示画面５１の縦横それぞれの表示密度を保持する。即ち、この表示密度は、記憶装置６６の表示密度記憶部６９に記憶されている。
例えば、あるタブレット型端末装置５０の表示画面５１では、その縦方向の表示領域に対して、ピクセル数が７６８ピクセルで、実際の寸法が約１４８ｍｍ、横方向の表示領域に対して、１０２４ピクセル、約１９７ｍｍ、公称密度は１３２ｐｐｉ（ピクセル・パー・インチ）である場合の「表示密度」は１３２となる。
ここで、本実施形態で用いる座標換算値について、説明する。
座標換算値とは、「（縮尺データ／表示要求縮尺）×表示密度」（式１）で表される値をいう。なお、以下、この式を(式１）という。この座標換算値を正確に求め、その値をベクタ形式の図面データの座標値に乗ずることで、表示画面５１上に、正確に実寸に準拠した縮尺で図面データが表示される。この場合の図面データの座標値の単位は、表示画面の座標値の単位と同じインチとする。
なお、本実施形態では、座標換算値が縦横同値の場合について説明するが、異なる場合も存在する。この場合には、縦座標換算値、横座標換算値を個別に算出する。
【００２２】
まず、図面データが、ベクタ形式であった場合について説明する。
表示する図面データの付属情報として、縮尺データ５０分の１を保持しているとする。
このタブレット型端末装置５０で最初に図面データを表示する場合、座標換算値は、「（縮尺データ／表示要求縮尺）×表示密度」（式１）から、縦・横方向とも次の値になる。
座標換算値＝（（１／５０）／（１／５０））×１３２＝１３２
そして、このタブレット型端末装置５０が、ベクタデータ形式の図面データの座標値に、算出した座標換算値１３２を乗じる演算処理を行い、デジタル図面の図面データを表示画面５１に表示する。
【００２３】
また、タブレット型端末装置５０で選択された表示要求縮尺が１００分の１である場合の座標換算値は、縦・横方向ともに上記（式１）から次の値になる。
座標換算値＝（（１／５０）／（１／１００））×１３２＝６６
そして、このタブレット型端末装置５０が、ベクタデータ形式の図面データの座標値に、算出した座標換算値６６を乗じる演算処理を行い、デジタル図面の図面データを表示画面５１に表示する。
【００２４】
次に、図面データが、ラスタ形式であった場合について説明する。
この場合も表示する図面データの付属情報として、縮尺データ５０分の１に加えて、縦横の解像度として６００ｄｐｉを保持しているものとする。
一方この表示画面５１の表示密度が１３２ｐｐｉ（ピクセル・パー・インチ）であったものとする。
ここで、タブレット型端末装置５０分の１の表示要求縮尺の選択をユーザから受けると、図面データがラスタ形式であった場合、座標換算値は、「（縮尺データ／表示要求縮尺）×表示密度」（式１）を図面解像度で除した値となることから、縦・横方向と５０／５０×１３２／６００＝０．２２となる。
【００２５】
そして、このタブレット型端末装置５０が、ラスタデータのピクセル座標値に０．２２を乗じる演算処理を行い、デジタル図面の図面データを表示画面５１に表示する。
また、タブレット型端末装置５０から１００分の１の表示要求縮尺の選択をユーザから受けると、座標換算値は、「（縮尺データ／表示要求縮尺）×表示密度」（式１）から、縦・横方向とも５０／１００×１３２／６００＝０．１１となる。
そして、このタブレット型端末装置５０が、ラスタデータのピクセル座標値に０．１１を乗じる演算処理を行い、デジタル図面の図面データを表示画面５１に表示する。
【００２６】
次に、本実施形態に係るタブレット型端末装置５０における、表示画面５１への図面データとルーラー１５０の表示の具体例をあげて説明する。
図５は、図面サーバ２０から受信したデジタル図面の図面データ（設計図面）を、表示画面５１に表示したところを示した図である。この例では、縮尺データとして１００分の１を保持していたため、最初に図面データを表示する場合の表示要求縮尺のデフォルト値として、図面データの縮尺データ１／１００を用いて表示している。
この表示している縮尺を明示するため、表示画面５１の左上に縮尺表示「１／１００」を表示している。なお、この縮尺表示はユーザの選択により、非表示にすることも可能である。
この例では、最初の表示を受信したデジタル図面の付属情報である縮尺データに応じた表示としたが、本実施形態はこれに限られない。例えば、一律に決まった縮尺で表示するようにしてもよいし、その都度、事前にユーザからの設定を受け付けるようにしてもよい。
この表示画面５１に表示された図面データ（設計図面）は、この図面データを実寸印刷したときと全く同一のサイズである。
【００２７】
ここで、タブレット型端末装置５０は、表示画面５１の右下のコーナーに縦横それぞれの方向に、画面サイズの２分の１程度の長さのルーラー１５０を表示する。このルーラー１５０には、「１／１００」に対応した目盛りが付してあり、このルーラー１５０の目盛り読み取ることで、表示画面５１に表示されている図面データの実際の寸法・距離を計測することができる。
なお、このルーラー１５０に付されている目盛りは、三角スケールの、表示縮尺「１／１００」に対応する目盛りと全く同寸である。
従って、この表示画面５１に直接三画スケールの「１／１００」に対応した目盛りを読み取ることでも、実際の寸法、距離を計測できる。
タブレット型端末装置５０によるルーラー１５０の表示は、ユーザからユーザの選択を受けて行うようになっている。具体的には、表示画面５１上の「表示モード」ボタン３００の押下を検知した後、ルーラー１５０を表示するようにする。また、図面データを表示する際、一律にルーラー１５０を表示する設定としてもよい。
なお、タブレット型端末装置５０は、表示するルーラーの目盛りを、表示要求縮尺に対応した目盛りをルーラーデータ記憶部７０から取得して、表示している。
【００２８】
この例で表示されているルーラー１５０は、概ね表示画面５１の横方向の１／２の長さであるが、３／４程度の長さとしてもよい。また、ルーラー１５０を下面、右面全体に表示するようにしてもよい。
ここで、以後、図５に示すような、ルーラー１５０が表示されているが、図面データが拡大、縮小が可能な状態を「表示モード」、ルーラー１５０が表示されて、且つ図面データが拡大、縮小が不可能となり、計測を行う状態を「計測モード」とよぶこととする。
【００２９】
次に、図６、図７を参照して、表示する図面データの縮尺を変更し、同時にルーラー１５０の目盛りを変更する手順を説明する。
本実施形態に係るタブレット型端末装置５０では、表示画面５１に、紙図面で一般に使用される固定縮尺で実寸表示要求を出すことができる。図６に示した例では、表示画面５１の左上の縮尺表示に示すように、「１／１００」で図面データを表示している。これを２倍に拡大し、「１／５０」で表示する場合について説明する。
ユーザが、表示画面５１の左上に表示されている縮尺表示「１／１００」（図５参照）を選択すると、タブレット型端末装置５０は、図６に示すように、複数の固定縮尺を表示した固定縮尺メニュー２００をプルダウンメニュー表示する。
このように、タブレット型端末装置５０が固定縮尺メニュー２００を表示することで、ユーザは次に表示したい所望の縮尺を簡単に選択することができる。
この固定縮尺メニュー２００には、例えば、１／２０、１／５０、１／１００、１／２００、といった、三角スケールでの計測で一般的に用いられている数値に対応して表示されている。
【００３０】
ここで、ユーザから、固定縮尺メニュー２００の「１／５０」縮尺の選択を受け付けたとする。この値が「表示要求縮尺」となる。
タブレット型端末装置５０は、選択された表示要求縮尺と、デジタル図面の属性情報（縮尺データ「１／１００」）、および表示画面５１の表示密度とから、座標換算値を算出し、表示画面５１に図面データを実寸表示する。
具体的には、上記したタブレット型端末装置５０の例で、ベクタ形式の図面データを表示する場合、座標換算値は、式１の「（縮尺データ／表示要求縮尺）×表示密度」から、縦・横方向ともに（（１／１００）／（１／５０））×１３２＝２６４となる。
そして、このタブレット型端末装置５０が、ベクタ形式の図面データの各座標値に座標換算値２６４を乗じる演算処理を行い、デジタル図面の図面データを表示画面５１に表示する。
【００３１】
図７は、ユーザの選択に従って、縮尺「１／５０」で図面データを表示したところを示した図である。
この図７に示されるように、選択前の図５に比べて図面データは縦横共に２倍の大きさで表示されている。
その際、表示画面５１の左上には、図７に示すように、縮尺表示として、現在ユーザによって選択されている固定縮尺（「１／５０」）が明示される。
ここで、表示画面５１の右下のコーナーに縦横それぞれの方向に、表示されていたルーラー１５０は、それ自体の長さに変更はないが、付されている目盛りが、「１／１００」に対応した目盛りから「１／５０」に対応したものに変更表示されている。
このルーラー１５０に付されている目盛りは、三角スケールの、表示縮尺「１／５０」に対応する目盛りと全く同寸である。
【００３２】
次に、タブレット型端末装置５０によるデジタル図面の固定縮尺による表示と処理の手順について、図８のフローチャートを参照して説明する。
この固定縮尺による表示処理は、ＣＰＵ５２が図面表示プログラム６８を実行することで行われる。
まず、ＣＰＵ５２は、ユーザからタブレット型端末装置５０に表示する設計図面の指定要求を受け付けると、ネットワークを介して図面サーバ２０にアクセスする。このとき、必要に応じて、ユーザの指定情報（ユーザＩＤやパスワード）を図面サーバ２０に送信する。
その後、ユーザが所望のデジタル図面の図面番号等を選択、または入力すると、ＣＰＵ５２は、図面サーバ２０に、図面番号等を送信してデジタル図面を要求する。
この要求に対して、図面サーバ２０から当該指定された図面番号等に該当するデジタル図面が送信されると、ＣＰＵ５２は通信装置５６を介してデジタル図面を受信する(ステップ１０）。以下、デジタル図面の図面データは、ベクタ形式である場合を例に説明する。
次に、ＣＰＵ５２は、ステップ１０で受信したデジタル図面から属性情報を抽出する(ステップ１１）。具体的には、図面データがベクタ形式なので、縮尺データを抽出する。なお、図面データがラスタ形式である場合には、さらに解像度も抽出する。
【００３３】
次に、ＣＰＵ５２は、表示密度記憶部６９に記憶されている表示画面５１の表示密度を取得し、この表示密度と属性情報として取得した縮尺データを用いて、表示画面５１に図面データを表示する（ステップ１２）。
すなわちＣＰＵ５２は、式１に基づき座標換算値を演算処理する際、図面データの縮尺データをデフォルトの表示要求縮尺として用いる。そしてＣＰＵ５２は、図面データの各座標値に、演算処理で求めた座標換算値を乗じることで、図６に示すように、図面データ（設計図面）を表示画面５１に表示する。このとき、同時に、表示画面５１の左上に縮尺表示「１／１００」の表示を行う。
【００３４】
次に、ＣＰＵ５２は、ユーザからルーラー１５０の表示要求があるか否かを判断する（ステップ１３）。具体的には、表示画面５１に表示した「表示モード」ボタン３００の押下を検出するか否かを判断する。
その結果、ＣＰＵ５２が、「表示モード」ボタン３００の押下を検出した場合（ステップ１３；Ｙ）、表示画面５１の右下コーナーから縦方向と、横方向に２本のルーラー１５０を表示する(ステップ１４）。このときの、ルーラー１５０の目盛りは、ＣＰＵ５２が、ルーラーデータ記憶部７０から、「表示要求縮尺」、「１／１００」に対応した目盛りのデータを取得し、表示する。
一方、ＣＰＵ５２が、「表示モード」ボタン３００の押下を検出しない場合（ステップ１３；Ｎ）、ルーラー１５０の表示は行わない。
【００３５】
次に、ＣＰＵ５２は、ユーザから表示する縮尺を変更するための固定縮尺メニュー２００の表示要求を受けると(ステップ１５；Ｙ）、ＣＰＵ５２は、図７に示すように、表示画面５１の左上に複数の固定縮尺が記載された固定縮尺メニュー２００を表示する（ステップ１６）。
次に、ＣＰＵ５２は、ユーザより、表示画面５１に表示した固定縮尺メニュー２００から、特定の固定縮尺の選択を受け付ける（ステップ１７）。
【００３６】
次に、ＣＰＵ５２は、ステップ１７にて固定縮尺の選択を受け付けると、受け付けた固定縮尺を表示要求縮尺として、ステップ１２で行った演算処理と同様の演算処理を行う。即ち、縮尺データと表示密度に変更はないので、ＣＰＵ５２は選択された固定縮尺「１／５０」を「表示要求縮尺」をとして、式１に基づいて座標換算値を演算し、求めた座標換算値を用いて、図７に示すように、図面データを表示画面５１に表示する。このとき、ＣＰＵ５２は、同時にルーラーデータ記憶部１７０から「表示要求縮尺」、「１／５０」に対応した目盛りのデータを取得し、目盛りを変更して表示する(ステップ１８）。
このときＣＰＵ５２は、図７に示すように、図面データ（設計図面）とともに、選択された固定縮尺の値「１／５０」縮尺表示として表示画面５１の左上に表示する。
【００３７】
その後、ＣＰＵ５２は、ユーザからの他の固定縮尺値による表示要求（固定縮尺の選択）があるか否かを判断し(ステップ１９）、あると判断した場合(ステップ１９；Ｙ）、ステップ１６以降の処理を継続する。
一方、ＣＰＵ５２は、ユーザからの他の固定縮尺値による表示要求がないと判断した場合(ステップ１９；Ｎ）、本フローチャートに係る処理を終了する。
なお、「表示モード」から「計測モード」移る処理は、後に説明する。
【００３８】
次に、図９、図１０を参照して、「表示モード」での計測を説明する。この「表示モード」とは、ルーラー１５０が表示されているが、図面データの拡大、縮小が可能な表示画面５１の状態をいう。
この「表示モード」では、ルーラー１５０は、可動させることはできない設定となっているため、被計測対象である図面データをルーラー１５０の方へ移動させることで、計測を行う。図９は、この「表示モード」を示している。
図面データの移動は、ユーザの指で図面データを指定し、且つタッチパネルとなっている画像入力装置６４から検知する指を、表示画面５１上を沿って動かすことで行う。図１０は、図面データをルーラー１５０に接するまで移動したところを示している。こうすることで、「表示モード」でも計測を行うことができる。
【００３９】
図９、図１０に示す例では、表示要求縮尺が「１／１２３」である。上記で説明した座標換算値は、（式１）の「（縮尺データ／表示要求縮尺）×表示密度」で求められる。このうち、「縮尺データ」と「表示密度」が不変であるため、「表示要求縮尺」を「１／１２３」として、座標換算値を求める。そして、このタブレット型端末装置５０が、ベクタデータ形式の図面データの座標値に、算出した座標換算値を乗じる演算処理を行い、デジタル図面の図面データを表示画面５１に表示する。
従って、本実施形態では、表示要求縮尺が、「１／２５」、「１／５０」、「１／１００」、「１／１５０」、「１／２００」、「１／２５０」、「１／３００」といった固定した値でなくても対応可能である。
【００４０】
次に、タッチパネルとなっている画像入力装置６４からの入力により、表示画面５１に表示されている図面データの拡大、縮小について説明する。
本実施形態では、タブレット型端末装置５０が、ユーザの指の動きを検知して、その検知した指の動きの大きさに対応した図面データの拡大、縮小表示を行う。これは、検知した指の動きで、上記表示要求縮尺を変化させていることとなる。こうすることで、例えば、表示要求縮尺を「１／１２２」から「１／１２３」、そして「１／１２４」へと変化させ、また、「１／１２３」と戻すことで、微妙に図面データの拡大、縮小を行うことができる。
【００４１】
次に、ルーラー１５０の目盛りについて説明する。
ユーザの表示要求縮尺が、ルーラーデータ記憶部７０に記憶されている、例えば、「１／２５」、「１／５０」、「１／１００」、「１／１５０」、「１／２００」、「１／２５０」、「１／３００」といった固定した値であれば、タブレット型端末装置５０は、記憶してあるルーラー１５０の目盛りを表示画面５１の所定位置に表示すればよい。
また、ユーザの表示要求縮尺が変化した場合、前記した座標変換値を基に、ルーラー１５０の目盛りの間隔を広げたり、狭めたりする調整を行えばよい。
但し、ユーザの表示要求縮尺が大きく変化した場合、基準となるルーラー１５０の目盛りを換えた方がユーザにとって使いやすいことがある。
具体的には、最初の表示要求縮尺が「１／１００」で、これが徐々に拡大し、「１／５０」になったとする。当初は、「１／１００」の目盛りの間隔を徐々に広げていけばよいが、例えば中間点の「１／７５」を越えた段階で「１／５０」の目盛りを基準に換え、「１／５０」の目盛りの間隔を狭めたルーラー１５０を表示する。
この表示するルーラー１５０の基準となる目盛りを変更する段階は、中間点に限らず、適宜決定することができる。
【００４２】
次に、図１１、図１２を参照して、「計測モード」における計測について説明する。
タブレット型端末装置５０が、ユーザからの計測モードボタン４００の押下を検知すると、表示画面５１は、「表示モード」から「計測モード」へ移行する。この「計測モード」へ移行すると以後、図面データの拡大、縮小ができなくなる。
ここで、タブレット型端末装置５０が、タッチパネルとなっている画像入力装置６４からの入力により、表示しているルーラー１５０への指またはペンでのタッチを検出したとする。
この検出が１箇所であった場合、ルーラー１５０は、指またはペンの指示（動き）に従って、表示画面５１内を上下方向、または左右方向に平行移動する。図１１に示す例では、ルーラー１５０を左右方向に平行移動させ、計測したい部分に当てて、ルーラー１５０の値を目視で読み取ることができる。即ち、ルーラー１５０は、三角スケールと同じ役割を果たすこととなる。
【００４３】
タブレット型端末装置５０が、表示しているルーラー１５０への指またはペンによるタッチを２箇所で検出した場合、ルーラー１５０は、２箇所で示される角度に沿って移動する。図１２に示す例では、ルーラー１５０を斜め方向に移動させ、図面データの対角線方向の寸法を計測している。
この例では、ルーラー１５０をデジタル図面内の任意の方向に置いて、値を目視で読み取ることができる。
【００４４】
次に、２点間の寸法、距離を数値で表示する「デジタル計測モード」について説明する。
図１３は、２点間の距離を正確に、デジタル表示する「デジタル計測モード」の例を示した図である。この例では、ユーザは、ルーラー１５０を使っての目視で読み取るのではなく、デジタル的に表示された数値を読み取る。
タブレット型端末装置５０が、「計測モード」で、ユーザからの計測モードボタン４００の押下をさらに検知すると、「デジタル計測モード」に移行する。
タブレット型端末装置５０が、タッチパネルとなっている画像入力装置６４からの入力により、表示画面５１の図面データへの指またはペンでのタッチを順に２箇所検出したとする。ここで、タブレット型端末装置５０は、検出した２箇所の座標データを取得し、上記した座標変換値を用いて演算処理し、現実世界での寸法を求める。
図１３に示す例では、実際の数値である「１２，３４５ｍｍ」が、表示画面５１に表示されている。
図１４は、「デジタル計測モード」において、計測したい２点間をより正確に計測するための「ポインタの表示とオフセット機能」を使用する例を示した図である。
表示画面５１上で、指で操作をする場合、指が邪魔をして、正確な位置を指すことが難しい場合がある。タブレット型端末装置５０がユーザからの「ポインタ」ボタン５００の押下を検知すると、表示画面５１は、例えば指の左上各１０ｍｍずらした位置にポインタ５１０を表示する。このポインタ５１０は、指の動きに連動して移動するようになっているので、正確な位置決めが可能となる。
【００４５】
図１５は、「デジタル計測モード」において、計測したい２点間をより正確に計測するために図面データを部分的に拡大する例を示した図である。
図１５に示した例では、タブレット型端末装置５０が、ユーザからの指の長押しを検知すると、表示画面５１に表示されている図面データを、指もしくはポインタ５１０付近を中心として、縦横方向それぞれ２倍に拡大表示する。さらに長押しを続けると、図面データは、さらに縦横方向それぞれ２倍（計４倍）に拡大表示する。
ここで、タブレット型端末装置５０が、ユーザの指が表示画面５１から離れたことを検知すると、表示画面５１上の図面データを、計測開始時の縮尺に戻す（縮小する）。この操作を専用ペンで受け付けるようにしてもよい。
【００４６】
また、他の方法として、タブレット型端末装置５０が、１本の指を離さず、さらにもう１本の指を適当な間隔を開けて、表示画面５１へのワンタッチを検出すると、図面データを、指もしくはポインタ付近を中心として、縦横方向それぞれ２倍に拡大表示する。タブレット型端末装置５０が、さらにもう一度、ワンタッチを検知すると、図面はさらに縦横方向それぞれ２倍（計４倍）に拡大表示する。
ここで、タブレット型端末装置５０が、最初の指を表示画面５１から離すことを検知すると、表示画面５１上の図面データを、計測開始時の縮尺に戻す（縮小する）。
この実施形態によれば、ルーラー１５０や三角スケールなどを使わなくても、正確な２点間の寸法が現実の寸法で表示される。
【００４７】
続いて、本実施形態の「計測モード」における処理手順を図１６のフローチャートを参照して説明する。この処理は、ＣＰＵ５２が図面表示プログラム６８を実行することで行われる。
図１６に示すように、まず、「表示モード」が設定されている状態で、（ステップ３０）、ＣＰＵ５２が、計測モードボタン４００の押下を検知すると（ステップ３１；Ｙ）、表示画面５１を、「表示モード」から「計測モード」へ移行させる。この「計測モード」へ移行すると以後、図面データの拡大、縮小ができなくなる(ステップ３２）。
ここで、ＣＰＵ５２が、表示しているルーラー１５０への指またはペンでのタッチを１箇所検出すると（ステップ３３；Ｙ）、ルーラー１５０を指またはペンでの操作に従い、上下、左右に平行移動可能な状態にする(ステップ３４）。
また、ＣＰＵ５２が、表示しているルーラー１５０への指またはペンでのタッチを２箇所検出すると（ステップ３５；Ｙ）、２点で示す角度に従って、ルーラー１５０を斜め方向に移動可能な状態にする(ステップ３６）。
【００４８】
次に、ＣＰＵ５２が、さらに、「計測モード」ボタン４００の押下を検知すると（ステップ３７；Ｙ）、表示画面５１を「デジタル計測モード」へ移行させる（ステップ３８）。
この「デジタル計測モード」は、２点間の寸法、距離を正確に計測し、その計測値を換算した実測の数値で表示する。そのため、２点の指定を正確に受け付ける必要がある。
そこで、ＣＰＵ５２は、ポインタボタン５００の押下を検知すると、指の付近にポインタ５１０を表示する。また、ＣＰＵ５２は、指の長押し、または１本の指を離さず、さらにもう１本の指を適当な間隔を開けて、表示画面５１へのワンタッチを検出すると、指もしくはポインタ５１０付近を中心として、縦横方向それぞれ２倍に拡大表示する。さらに長押し、またはさらにもう一度、ワンタッチを検知すると、図面データは、さらに縦横方向それぞれ２倍（計４倍）に拡大表示する。このようにして、正確に位置を検出できるようにしている。
【００４９】
ＣＰＵ５２が、表示画面５１上で２点の指示を検出すると（ステップ３９；Ｙ）、２点の座標データを取得し、座標換算値を用いて、演算処理を行うことで２点間の実際の寸法、距離を求める（ステップ４０）。
そして、ＣＰＵ５２は、求めた実際の数値で寸法、距離を表示する（ステップ４１）。
その後、「デジタル計測モード」から「計測モード」へ戻る要求があると（ステップ４２；Ｙ）、ステップ３２へ戻り、「計測モード」に戻る要求がなければ（ステップ４２；Ｎ）、「計測モード」での処理を終了し、本フローチャートに係る処理を終了する。
【００５０】
以上説明した本実施形態や変形例では、設計図面を中心に説明したが、本発明は、これに限定されることなく、例えば、地図の表示などにも応用することができる。
また、本実施形態は、実物を縮小して表示する図面データだけでなく、実物を実寸で表示する図面データにも対応できる。紙の図面と比較して、携帯に便利であり、また、表示画面５１上で、通常の定規を使って、寸法を計測することもできる。
さらに、本実施形態では、実物を拡大して表示することも可能である。微細なものの図面データを表示画面５１に拡大して表示することで、内容を詳細に把握したり、正確に計測したりすることができる。
例えば実寸の１０倍スケールのルーラー１５０、２０倍スケールのルーラー１５０等を用意すれば、換算が不要となる。
本実施の形態では、デジタル図面の解像度とタブレット型端末装置５０の表示画面５１の表示密度を使って、デジタル図面の図面データを実縮尺で表示する例を説明したが、本発明はこれに限られない。デジタル図面で表示する図面データと表示するルーラー１５０とが厳密に対応していれば、正確な計測は可能である。従って、表示画面５１の表示密度を厳格に管理しなくても、計測の正確さには影響を及ぼさない。
【符号の説明】
【００５１】
２０  図面サーバ
５０  タブレット型端末装置
５１  表示画面
６８  図面表示プログラム
６９  表示密度記憶部
７０  ルーラーデータ記憶部
１００  計測装置
３００  「表示モード」ボタン
４００  「計測モード」ボタン
５００  ポインタボタン
５１０  ポインタ
【図１】
0005392794.tif 000002
【図２】
0005392794.tif 000003
【図３】
0005392794.tif 000004
【図４】
0005392794.tif 000005
【図５】
0005392794.tif 000006
【図６】
0005392794.tif 000007
【図７】
0005392794.tif 000008
【図８】
0005392794.tif 000009
【図９】
0005392794.tif 000010
【図１０】
0005392794.tif 000011
【図１１】
0005392794.tif 000012
【図１２】
0005392794.tif 000013
【図１３】
0005392794.tif 000014
【図１４】
0005392794.tif 000015
【図１５】
0005392794.tif 000016
【図１６】
0005392794.tif 000017